(57)【要約】【課題】バックアップ電源を充電するとともにバックアップ電源で作動される電子回路になるべく長きに渡り電力を供給できる電子機器における充電回路、充電装置及び電子機器を提供する。【解決手段】ＲＴＣ４５のバックアップ電源としてのキャパシタＣ１は、電源オン時は第２電源線５２の電源電圧（５Ｖ）により充電される。電源オフ時は第１電源線５１に所定電圧（２．５Ｖ）が出力され、その所定電圧は抵抗Ｒ１，Ｒ３及びダイオードＤ２を介してＲＴＣ４５のバックアップ用の電源端子ＶBAKに供給される。ダイオードＤ１，Ｄ２は、逆電流防止用であり、そのうちダイオードＤ２は、第２電線線５２からダイオードＤ１、抵抗Ｒ３及びツェナダイオードＺＤを通って電流が漏れることを防止する。ダイオードＤ２は、接続点Ａ，Ｂ間の配線上ではなく、接続点ＢよりもキャパシタＣ１側に設けられている。【選択図】図２
2007209086.tif 000002
【特許請求の範囲】
【請求項１】
電子機器に備えられた電子回路を電源オフ中に作動させるためのバックアップ電源を充電する充電回路であって、
前記電子機器が備える電源装置は、電源が１次側、電子機器の駆動部が２次側に接続され、電子機器の電源オン中に第１電源線に動力系電源電圧を出力するとともに、電源オフ中に前記動力系電源電圧よりも低い電圧値の所定電圧を出力し、電子機器の電源オン中に第２電源線に前記第１電源線とは異なる電圧値の電源電圧を出力するように構成されており、
前記第１電源線の出力電圧を前記バックアップ電源に印加させる第１配線と、前記第２電源線の電源電圧に基づく充電電流を前記バックアップ電源に流す第２配線とを備え、該第１配線と第２配線は前記バックアップ電源に至る手前で分岐するように接続されており、
前記電源オン中に前記第１配線上の所定位置における電位が、前記第１配線と前記第２配線との接続点の電位と略等電位となるように前記動力系電源電圧を所定の定電圧に降圧させる定電圧素子を備えたことを特徴とする電子機器における充電回路。
【請求項２】
電子機器に備えられた電子回路を電源オフ中に作動させるためのバックアップ電源を充電する充電回路であって、
前記電子機器が備える電源装置は、少なくとも電源オフ中に第１電源線に所定電圧を出力するとともに、電源オン中に第２電源線に充電電圧を出力する構成となっており、
前記第１電源線の出力電圧を前記バックアップ電源に印加させる第１配線と、前記第２電源線から充電のための電流を前記バックアップ電源に流す第２配線とを備え、該第１配線と第２配線は前記バックアップ電源に至る手前で分岐するように接続されており、
前記第２電源線と前記バックアップ電源との間の配線上には、前記第１配線と第２配線の接続点を挟む両側に、それぞれ少なくとも一つの逆電流防止素子が、前記第２電源線から前記バックアップ電源に至る向きが順方向となる向きで設けられていることを特徴とする電子機器における充電回路。
【請求項３】
電子機器に備えられた電子回路を電源オフ中に作動させるためのバックアップ電源を充電する充電回路であって、
前記電子機器が備える電源装置は、少なくとも電源オフ中に第１電源線に所定電圧を出力し、電源オン中に第２電源線に充電電圧を出力する構成となっており、
前記第１電源線の出力電圧を前記バックアップ電源に印加させる第１配線と、前記第２電源線から充電のための電流を前記バックアップ電源に流す第２配線とを備え、該第１配線と第２配線は前記バックアップ電源に至る手前で分岐するように接続されており、
電子機器の電源オフ中に電源装置の第１電源線から出力される前記所定電圧に基づき前記第１配線と前記第２配線との接続点に生じる電圧が、該バックアップ電源の充電よりも前記電子回路の作動電圧として用いられることを優先させる優先手段を備えたことを特徴とする電子機器における充電回路。
【請求項４】
請求項２又は請求項３に記載の電子機器における充電回路において、
前記第１電源線は動力系電源線であり、電源オフ中においては電源オン中に出力される動力系電源電圧より低電圧の前記所定電圧が出力されることを特徴とする電子機器における充電回路。
【請求項５】
請求項１乃至請求項４のいずれか一項に記載の電子機器における充電回路において、
前記所定電圧は、電子機器に設けられた操作パネルが有する電源スイッチの電源オフ中における作動電圧として出力されることを特徴とすることを特徴とする電子機器における充電回路。
【請求項６】
請求項４又は請求項５に記載の電子機器における充電回路において、
前記動力系電源電圧を所定の定電圧に降圧させる定電圧素子を備えたことを特徴とする電子機器における充電回路。
【請求項７】
請求項６に記載の電子機器における充電回路において、
前記定電圧素子は、該定電圧素子の出力電位が前記接続点の電位と略等電位となるような前記所定の定電圧に前記動力系電源電圧を降圧させることを特徴とする電子機器における充電回路。
【請求項８】
請求項６又は請求項７に記載の電子機器における充電回路において、
前記定電圧素子と前記接続点との間における前記第１配線上には抵抗素子が設けられていることを特徴とする電子機器における充電回路。
【請求項９】
電子機器に備えられた電子回路を電源オフ中に作動させるためのバックアップ電源を充電する電子機器における充電装置において、
電源が１次側、電子機器の駆動部が２次側に接続される電源装置であって電子機器の電源オン中に異なる電源電圧をそれぞれ出力する第１電源線及び第２電源線を備え、電源オフ中に前記第１電源線から所定電圧を出力するとともに、電源オン中に前記第２電源線から出力される電源電圧が前記バックアップ電源の充電電圧として用いられるように接続された当該電源装置と、
請求項１乃至請求項８のいずれか一項に記載の充電回路と
を備えたことを特徴とする電子機器における充電装置。
【請求項１０】
電子回路と、電源オフ中に電子回路を作動させる電力を供給するバックアップ電源と、請求項９に記載の充電装置とを備えたことを特徴とする電子機器。
【発明の詳細な説明】
【技術分野】
【０００１】
本発明は、電子機器の電源オフ中にタイマ回路等の電子回路に、電力を供給するキャパシタ等のバックアップ電源を充電する電子機器における充電回路、充電装置及び電子機器に関する。
【背景技術】
【０００２】
従来、この種の電子機器の一つであるインクジェット式プリンタにおいては、記録ヘッドのノズルにおけるインク目詰まり等を予防・解消するクリーニングを行うメンテナンス装置が設けられている。メンテナンス装置は、ノズルから強制的にインクを吸引する定期クリーニングを行う。定期クリーニングは前回のクリーニングから一定時間以上経過すると実施され、例えばプリンタの電源投入時に前回のクリーニングから一定時間以上経過していた場合に実施される。このため、プリンタの電源を切ってから次回電源が投入されるまでの電源遮断中も時間を計時する必要がある。この時間を計時するタイマ回路として、プリンタにはリアルタイムクロック（RealTime Clock、以下「ＲＴＣ」と呼ぶ）（タイマＩＣ）が内蔵されている。ＲＴＣを電源遮断中においても作動させるためにバックアップ電源が用いられる。従来、バックアップ電源として、Ｌｉ電池やＮｉ−Ｃｄ電池などの二次電池が使用されているが、環境への配慮からキャパシタが使用されることが多くなってきている。キャパシタとしては、電気二重層コンデンサ等の高性能なコンデンサが使用され、プリンタに電源が入っているときにキャパシタを充電し、プリンタの電源が切られるとキャパシタに充電された電圧でＲＴＣを作動させている。
【０００３】
プリンタには、商用電源が１次側、モータや記録ヘッド等の駆動回路が２次側に接続された電源装置が設けられている（例えば特許文献１）。プリンタの電源オン中において、バックアップ電源は電源装置からの出力電圧により充電される。
【０００４】
ところで、電子機器に電源が入っているときにキャパシタが十分充電されていないと、電源オフ中にバックアップ電源の充電不足からＲＴＣの計時が不正確になる。例えばプリンタでは、前回のクリーニングからの経過時間が長いほどクリーニング内容が強力となるように、クリーニング内容が経過時間に応じて段階的に設定されている。例えばプリンタの電源を入れたときに、ＲＴＣが途中で計時しなくなっていて正確な経過時間が分からない場合は、最強の条件で強力クリーニングが行われる。このようにバックアップ電源の充電不足が原因でタイマの計時が不定となるエラーが起きると、強力クリーニングで多量のインクが無駄に消費されてしまうので、インクカートリッジ一個当たりに印刷できるインク寿命が短くなるという問題があった。
【０００５】
例えば特許文献２には、主電源がスリープ状態にあるときに、所定の充電時間だけ主電源をオン状態に変え、その電力によりバックアップ電源の充電を行う構成が開示されている。この構成であれば、充電時間が確保されるので、電源が切られたときに十分充電されている可能性が高くなり、ＲＴＣがバックアップ電源の充電不足が原因で、プリンタの電源オフ中に計時しなくなる不都合を解消しやすくなる。
【０００６】
また、特許文献３には、電源オフ中においてもバックアップ用の電力が供給されてバックアップ電源を充電できるバックアップ電源回路を備えたプリンタが開示されている。この構成であれば、電源オフ中においても充電できるので、バックアップ電源が充電不足になることがまず起こらず、ＲＴＣの計時内容が不定になることが原因で強力クリーニングが実施されて引き起こるインクの無駄な消費を回避できる。なお、特許文献１に開示された電源装置は、電子機器の電源を入れた状態で、動力系の電源線の出力電圧が、高電圧と低電圧を交互に繰り返し出力するように変化する構成となっていた。
【特許文献１】実開平５−８７６２３号公報
【特許文献２】特開２００１−４５６７８号公報
【特許文献３】特開２００２−２６２５５５号公報
【発明の開示】
【発明が解決しようとする課題】
【０００７】
しかしながら、特許文献２では、主電源をスリープ状態からオン状態に変えることで充電時間は確保できるものの、プリンタの電源投入後に印刷して直ちに電源が遮断された場合は、必要な充電時間が確保されないので、プリンタ電源遮断中にＲＴＣが必要な時間の計時ができず停止する頻度がまだかなり高かった。また、特許文献３では、バックアップ電源回路を新たに追加しなければならないので、部品点数の増加や部品コストの上昇を招き、ひいてはプリンタの小型化を図りにくくプリンタの製造コストの上昇ももたらす。このため、できるだけ追加される回路等を抑えて部品点数の増加を抑えた簡単な構成で、しかもプリンタの電源が切られたときにＲＴＣなどの電子回路がバックアップ電源の充電不足に起因してもたらされる作動停止などの不具合を引き起こしにくい充電回路（充電装置）が望まれていた。
【０００８】
なお、充電回路には、キャパシタの放電防止などを目的として逆電流防止用のダイオードが設けられる。ダイオードはプリンタの電源が入っているときは順バイアスで電源電圧からキャパシタのプラス極へ向かう電流を許容して充電が進む。一方、プリンタの電源が切られると、電源線が０ボルトになるが、このときダイオードに逆バイアスがかかるため、キャパシタはダイオードを介しては放電されにくい。しかし、ダイオードは逆バイアスがかかった状態であっても貫通する漏れ電流が流れ、非常に僅かな電力で駆動されるＲＴＣなどの半導体集積回路のバックアップ電源の充電回路においては、ダイオードの漏れ電流は、ＲＴＣの駆動のためにキャパシタから供給される電流に匹敵する。このため、ＲＴＣの作動時間を長くするうえで、充電回路内のダイオードの漏れ電流をなるべく小さく抑えることが有効である。
【０００９】
本発明は、上記問題点を解決するためになされたものであって、その目的は、バックアップ電源を充電するとともにバックアップ電源で作動される電子回路になるべく長きに渡り電力を供給できる電子機器における充電回路、充電装置及び電子機器を提供することにある。
【課題を解決するための手段】
【００１０】
本発明は、電子機器に備えられた電子回路を電源オフ中に作動させるためのバックアップ電源を充電する充電回路であって、前記電子機器が備える電源装置は、電源が１次側、電子機器の駆動部が２次側に接続され、電子機器の電源オン中に第１電源線に動力系電源電圧を出力するとともに、電源オフ中に前記動力系電源電圧よりも低い電圧値の所定電圧を出力し、電子機器の電源オン中に第２電源線に前記第１電源線とは異なる電圧値の電源電圧を出力するように構成されており、前記第１電源線の出力電圧を前記バックアップ電源に印加させる第１配線と、前記第２電源線の電源電圧に基づく充電電流を前記バックアップ電源に流す第２配線とを備え、該第１配線と第２配線は前記バックアップ電源に至る手前で分岐するように接続されており、前記電源オン中に前記第１配線上の所定位置における電位が、前記第１配線と前記第２配線との接続点の電位と略等電位となるように前記動力系電源電圧を所定の定電圧に降圧させる定電圧素子を備えたことを要旨とする。
【００１１】
本発明は、電子機器に備えられた電子回路を電源オフ中に作動させるためのバックアップ電源を充電する充電回路であって、前記電子機器が備える電源装置は、少なくとも電源オフ中に所定電圧を出力する第１電源線と、電源オン中に充電電圧を出力する第２電源線とを有する構成となっており、前記第１電源線の出力電圧を前記バックアップ電源に印加させる第１配線と、前記第２電源線から充電のための電流を前記バックアップ電源に流す第２配線とを備え、該第１配線と第２配線は前記バックアップ電源に至る手前で分岐するように接続されており、前記第２電源線と前記バックアップ電源との間の配線上には、前記第１配線と第２配線の接続点を挟む両側に、それぞれ少なくとも一つの逆電流防止素子が、前記第２電源線から前記バックアップ電源に至る向きが順方向となる向きで設けられていることを要旨とする。
【００１２】
これによれば、電子機器の電源オン中は、電源装置の第２電源線から出力される充電電圧に基づき第２配線を介してバックアップ電源が充電される。また、電子機器の電源オフ中は、第２電源線の出力電圧がなくなるが、電源装置の第１電源線に所定電圧が出力され、この所定電圧に基づく電圧が第１配線を介してバックアップ電源に印加される。これにより、第１電源線の所定電圧に基づきバックアップ電源が充電されたり、あるいは充電はされず電子回路に作動電圧が供給されたりする。このため、電子回路は電子機器の電源オフ中においても作動する。また、第１電源線に所定電圧が出力されている電源オフ中においては、第１電源線と第２電源線との間に電位差が生じるが、第２電源線と接続点との間に存在する逆電流防止素子により、第１電源線から第２電源線へ電流が流れることは阻止される。よって、電源オフ時に第１電源線の出力電圧が有効に活用される。
【００１３】
また、例えば電子機器のコンセントが電源から抜かれて、第１電源線から所定電圧が出力されなくなった場合は、バックアップ電源からの電圧が電子回路に供給されることにより、電子回路は作動する。このとき、第１電源線から所定電圧が出力されなくなったことにより、バックアップ電源の電位が第１電源線及び第２電源線の各電位（０ボルト）より高くなるが、接続点を挟む両側に存在する逆電流防止素子により、バックアップ電源から第１及び第２電源線へ電流が流れることは阻止される。よって、バックアップ電源から各電源線への放電が回避される。
【００１４】
また、コンセントが抜かれた電子機器の電源オフ中において、バックアップ電源は、接続点で分岐する第１配線と第２配線を介して各電源線との間で電位差が生じるが、逆電流防止素子のうち少なくとも一つが接続点よりもバックアップ電源側に位置するので、逆電流防止素子を貫通する漏れ電流は逆電流防止素子一個分で済む。例えばバックアップ電源から分岐した各配線上のそれぞれに逆電流防止素子が存在する場合、それぞれの逆電流防止素子から漏れ電流が発生する。これに対し、本発明では、バックアップ電源から逆電流防止素子に至るまでの途中に分岐がないので、逆電流防止素子一個分の漏れ電流で済む。このように漏れ電流を少なく抑えられるため、バックアップ電源の放電速度を相対的に遅くすることができる。この結果、バックアップ電源の同一蓄電量下における寿命を延ばすことができる。
【００１５】
また、本発明は、電子機器に備えられた電子回路を電源オフ中に作動させるためのバックアップ電源を充電する充電回路であって、前記電子機器が備える電源装置は、少なくとも電源オフ中に第１電源線に所定電圧を出力し、電源オン中に第２電源線に充電電圧を出力する構成となっており、前記第１電源線の出力電圧を前記バックアップ電源に印加させる第１配線と、前記第２電源線から充電のための電流を前記バックアップ電源に流す第２配線とを備え、該第１配線と第２配線は前記バックアップ電源に至る手前で分岐するように接続されており、電子機器の電源オフ中に電源装置の第１電源線から出力される前記所定電圧に基づき前記第１配線と前記第２配線との接続点に生じる電圧が、該バックアップ電源の充電よりも前記電子回路の作動電圧として用いられることを優先させる優先手段を備えたことを要旨とする電子機器における充電回路。
【００１６】
これによれば、電子機器の電源オン中は、第２電源線からの充電電圧に基づきバックアップ電源が充電される。また、電子機器の電源オフ中は、第１電源線から出力される所定電圧に基づき第１配線と第２配線との接続点に生じた電圧が、優先手段によりバックアップ電源の充電よりも電子回路の作動電圧に用いられることが優先される。このため、電子機器の電源遮断時に例えばバックアップ電源の蓄電量が電子回路を駆動できないほど欠乏していても、電子回路への作動電圧の供給が途切れることがない。よって、バックアップ電源の充電が優先される場合に起こり得る、電子回路の駆動が一時的に停止することを防止できる。従って、電子回路の作動の信頼性を高めることができる。
【００１７】
また、本発明の充電回路では、前記第１電源線は動力系電源線であり、電源オフ中においては電源オン中に出力される動力系電源電圧より低電圧の前記所定電圧が出力されることが好ましい。
【００１８】
これによれば、電源オフ時にバックアップ電源を充電する程度に低い所定電圧が出力されると、この所定電圧は動力系電源線の浮遊電圧となる。しかし、この浮遊電圧は電源オン中に出力される動力系電源電圧に比べかなり低い値なので、駆動回路（ドライバ）などの給電対象に不具合が発生しにくい。このため、第１電源線を流用して所定電圧を出力することができ、バックアップ用の専用電源線を新規に追加しなくて済む。
【００１９】
さらに本発明の充電回路では、前記所定電圧は、電子機器に設けられた操作パネルが有する電源スイッチの電源オフ中における作動電圧として出力されることが好ましい。
電源オフ時でも電源スイッチには作動電圧が出力され続ける。このため、電源スイッチを操作すれば、電子機器を立ち上げることができる。この電源スイッチの作動電圧は電子回路にも出力される。よって、電子機器のコンセントが電源に接続されている限り、電源オフ中においても電子回路に作動電圧（所定電圧）が供給され続けることになり、半永久的に作動し続ける。コンセントが電源から抜かれたときは、バックアップ電源からの供給電力により電子回路は作動する。このように電源スイッチ用の作動電圧を利用しているので、バックアップ専用の電源線を設ける必要がない。
【００２０】
また、本発明の充電回路では、前記動力系電源電圧を所定の定電圧に降圧させる定電圧素子を備えていることが好ましい。
これによれば、定電圧素子によって動力系電源電圧は、所定の定電圧に降圧される。よって、電源オン中に第１電源線に出力される過大な動力系電源電圧がバックアップ電源に印加されない。このため、バックアップ電源及び電子回路を保護できる。なお、定電圧素子としては例えばツェナダイオード（定電圧ダイオード）を挙げることができる。
【００２１】
また、本発明の充電回路では、前記定電圧素子は、該定電圧素子の出力電位が前記接続点の電位と略等電位となるような前記所定の定電圧に前記動力系電源電圧を降圧させることが好ましい。
【００２２】
これによれば、電子機器の電源オン中において、定電圧素子の出力電位と接続点の電位が略等しくなり、両二点間に電流が流れにくくなるので、第２電源線側から定電圧素子を経由してグランド（アース）へ流れる電流を抑制できる。よって、第２電源線に出力される充電電圧をバックアップ電源の充電に有効に活用できる。
【００２３】
また、本発明の充電回路では、前記定電圧素子と前記接続点との間における前記第１配線上には抵抗素子が設けられていることが好ましい。
これによれば、抵抗素子によって、電子機器の電源オン中に第２電源線から定電圧素子を経由してグランド（アース）へ流れる電流を抑制できる。また、ダイオード等の逆電流防止素子に比べ簡素で安価な抵抗素子を用いているので、充電回路を安価に製造できる。
【００２４】
本発明は、電子機器に備えられた電子回路を電源オフ中に作動させるためのバックアップ電源を充電する電子機器における充電装置において、電源が１次側、電子機器の駆動部が２次側に接続される電源装置であって電子機器の電源オン中に異なる電源電圧をそれぞれ出力する第１電源線及び第２電源線を備え、電源オフ中に前記第１電源線から所定電圧を出力するとともに、電源オン中に前記第２電源線から出力される電源電圧が前記バックアップ電源の充電電圧として用いられるように接続された当該電源装置と、上記発明の充電回路とを備えたことを要旨とする。これによれば、充電装置には、充電回路が備えられているので、上記発明の充電回路と同様の効果を得ることができる。
【００２５】
本発明の電子機器は、電子回路と、電源オフ中に電子回路を作動させる電力を供給するバックアップ電源と、上記発明の充電装置とを備えたことを要旨とする。これによれば、電子機器には充電装置が備えられているので、上記発明の充電装置と同様の効果を得ることができる。
【発明を実施するための最良の形態】
【００２６】
以下、本発明を具体化した一実施形態を図１〜図３に従って説明する。
図１は、プリンタの概略構成を示すブロック図である。同図に示すように、電子機器としてのプリンタ１０（インクジェット式プリンタ）は、電源装置１１として一次電源回路１２及び二次電源回路１３を備える。また、プリンタ１０は、コントローラ１４と、該コントローラ１４に接続されたモータドライバ１５、１６、ヘッドドライバ１７及び表示駆動回路１８と、さらにこれらのドライバ（駆動回路）に駆動制御されるキャリッジモータ２１、紙送りモータ２２、記録ヘッド２３及び操作パネル２４（コントロールパネル）を備えている。操作パネル２４は、表示装置２５（液晶表示パネル）と電源スイッチ２６と操作スイッチ２７を有している。表示装置２５は、各種印刷メニューや印刷条件情報（用紙サイズ、印刷モード等）、エラー表示などを表示させるためのものである。電源スイッチ２６はプリンタ１０の電源の投入／遮断のための操作に用いられるスイッチである。操作スイッチ２７は、プリンタ１０に対して所定の指令や設定情報等を入力するための操作に用いられ、例えば印刷実行スイッチ、メンテナンススイッチ、表示装置２５に表示された各種メニューや設定情報等を選択する選択スイッチ、その選択内容を確定する決定スイッチなどからなる。
【００２７】
一次電源回路１２は、電源としての商用交流電源１００Ｖから動力系の電圧４２Ｖを生成し、二次電源回路１３は、一次電源回路１２の出力電圧を降圧させて、電圧５Ｖと電圧３．３Ｖを生成する。一次電源回路１２の出力電圧である動力系電源電圧４２Ｖは、モータドライバ１５，１６及びヘッドドライバ１７に供給される。また、二次電源回路１３の出力電圧のうち、電圧５Ｖは表示駆動回路１８に供給され、電圧３．３Ｖはコントローラ１４及び操作パネル２４の操作スイッチ類に供給される。
【００２８】
本実施形態のプリンタ１０では、一次電源回路１２の動力系電源電圧を出力する第１電源線５１が、モータドライバ１５，１６に接続される他、電源スイッチ２６にも接続されている。一次電源回路１２は、電源スイッチ２６がオフ操作されてプリンタ１０の電源が遮断された電源オフ状態においても、電源スイッチ２６の作動電圧に相当する低電圧を出力する。但し、図示しないスイッチ回路により電源オン中は第１電源線５１との通電が遮断されることで、電源スイッチ２６は保護される構成となっている。
【００２９】
コントローラ１４は、各モータドライバ１５，１６に各々の制御信号を出力して、キャリッジモータ２１及び紙送りモータ２２をそれぞれ駆動制御する。キャリッジモータ２１が駆動制御されることで記録ヘッド２３を搭載するキャリッジ２８は主走査方向に往復移動する。また、紙送りモータ２２が駆動制御されることで、図示しない給紙装置、紙送り装置、排紙装置の各ローラ等が駆動され、記録媒体としての記録用紙が副走査方向に搬送されて給紙・紙送り・排紙が行われる。さらにヘッドドライバ１７に印刷データに基づく制御信号を出力することで記録ヘッド２３からインク滴を噴射させる。また、コントローラ１４は表示駆動回路１８に表示データを出力することにより操作パネル２４の表示装置２５に設定メニュー等を表示させる。
【００３０】
プリンタ１０には、記録ヘッド２３のクリーニング等を行うメンテナンス装置２９が、キャリッジ２８の移動経路上一端位置（ホームポジション）に相当する下方に配置されている。メンテナンス装置２９は、記録ヘッド２３のインク噴射用ノズルが開口する下面（「ノズル形成面」と呼ぶ）を封止するためのキャップ３０、ノズル形成面を払拭するための図示しないワイパ、及びノズル開口から増粘したインクなどを強制吸引するためにノズル形成面を封止するキャップ３０の内側に負圧を導入する吸引ポンプ３１を備えている。吸引ポンプ３１は、紙送りモータ２２の動力で駆動され、例えば紙送りモータ２２の記録媒体（印刷用紙）搬送中の正転駆動時にレリース状態となり、逆転駆動時に負圧発生可能にポンプ駆動される。もちろん、吸引ポンプ３１は専用の電動モータにより駆動されてもよい。吸引クリーニングは、キャリッジ２８がホームポジションに位置する状態で行われ、昇降可能なキャップ３０が記録ヘッド２３に当接するまで上昇した状態で行われる。
【００３１】
コントローラ１４は、例えばシステムオンチップ（ＳＯＣ）により１チップで構成され、その内部には、図１に示すように、ＣＰＵ４０、ＲＯＭ４１、ＲＡＭ４２、不揮発性メモリ４３、印刷処理回路４４、ＲＴＣ４５（リアルタイムクロック）、バックアップ回路４６、インターフェイス（以下、「Ｉ／Ｆ４７，４８」と称す）を備える。
【００３２】
ＣＰＵ４０は、ＲＯＭ４１に記憶された起動プログラム等を含む制御プログラム及び、不揮発性メモリ４３に記憶されたファームウェアプログラム等を実行することでプリンタ１０を統括制御する。ＲＡＭ４２は、例えばパーソナルコンピュータ等のホスト装置から受信した印刷データ及び該印刷データを展開して得られるラスタデータ等の各種データのバッファとして機能し、さらにＣＰＵ４０が各種プログラムを実行して得られた各種データ等を一時記憶するためなどにも用いられる。印刷処理回路４４は、印刷データ中のコマンドを解析して印刷データを記録ヘッド２３の制御に用いる前記ラスタデータに展開する展開処理等を行う。ホスト装置からの印刷データの受信は、Ｉ／Ｆ４７に接続された通信インターフェイス４８を介して行われる。
【００３３】
また、プリンタ１０は本体には図示しないメモリカードスロットが設けられ、Ｉ／Ｆ４７には、メモリカードスロットに挿入されたメモリカード（図示せず）から画像データ等を読み取り可能なメモリカードリーダ４９が接続されている。プリンタ１０はホスト装置なしでもメモリカードから画像データを読み込んで直接印刷できるスタンドアロン型のプリンタであり、印刷処理回路４４はメモリカードからメモリカードリーダ４９を通じて読み込んだ画像データに、公知の色変換処理、ハーフトーン処理及びマイクロウィーブ処理等を施して印刷データを生成する画像処理も行う。
【００３４】
ＲＴＣ４５は、時刻を計時する半導体集積回路（ＩＣ）であり、図示しない水晶発振子、カウンタ及び不揮発性メモリ等を内蔵する。ＲＴＣ４５の計時時刻は記録ヘッド２３の定期クリーニング（タイマクリーニング）を行う際に使用され、ＣＰＵ４０は前回のクリーニング実施時刻からの経過時間をＲＴＣ４５から取得した時刻データから求める。詳しくは、前回のクリーニング実施時刻はＲＴＣ４５内の不揮発性メモリに記憶され、カウンタはＲＴＣ４５の駆動中において現在時刻に相当するカウント値を計数する。ＣＰＵ４０は、プリンタ電源投入時に前回のクリーニング実施時刻からの経過時間を、ＲＴＣ４５から取得した前回のクリーニング実施時刻と現在時刻（それぞれカウンタ相当値）の差分から算出する。不揮発性メモリに４３には、経過時間が長くなるほど強力なクリーニング条件（吸引力・吸引時間）が選択されるように、経過時間とクリーニング条件とを対応付けたクリーニングテーブルが記憶されている。ＣＰＵ４０は、クリーニングテーブルを参照することで、算出した経過時間に対応するクリーニング条件を引き当て、経過時間が長いほどより強力なクリーニングを実施する。但し、経過時間が短いときは、吸引クリーニングに替えて、インクを空吐出するフラッシングと呼ばれる弱いクリーニングが行われる。
【００３５】
また、ＣＰＵ４０は、一次電源回路１２及び二次電源回路１３を個別に制御できるように構成されている。プリンタ１０に電源スイッチ２６が入れられると、一次電源回路１２及び二次電源回路１３に商用交流電源からの交流電圧に基づく電力が印加される。ＣＰＵ４０は、一次電源回路１２及び二次電源回路１３の内部に動力系、操作パネル系、制御系（ロジック系）別に設けられた各スイッチ素子を選択的にオンさせることにより、動力系、操作パネル系、制御系（ロジック系）毎に対応する電圧を出力可能に構成されている。また、ＣＰＵ４０は一次電源回路１２及び二次電源回路１３を系毎に個別に遮断することができる。
【００３６】
また、バックアップ回路４６は、ＲＴＣ４５に作動電圧を供給する。バックアップ回路４６は、バックアップ電源を内蔵し、プリンタ１０の電源遮断（電源オン）中においても、ＲＴＣ４５にバックアップ電源から作動電圧を供給する。
【００３７】
次に、バックアップ回路４６について説明する。図２は、ＣＰＵ、ＲＴＣ及びバックアップ回路を示す電気回路図である。
第１電源線５１（４２Ｖ電源線）は、各モータドライバ１５，１６に一次電源回路１２から出力される動力系電源電圧４２Ｖを給電する電源線である。また、第２電源線５２（５Ｖ電源線）は、表示駆動回路１８に二次電源回路１３から出力される表示系電源電圧５Ｖを給電する電源線であり、第３電源線５３（３Ｖ電源線）は、コントローラ１４及び操作パネル２４の操作スイッチ類に、二次電源回路１３から出力される制御系電源電圧３．３Ｖを出力する電源線である。
【００３８】
電源オフ時における第１〜第３電源線５１〜５３の出力電圧は、図２に括弧内に示した電圧値となる。すなわち、第１電源線５１は、電圧２．５Ｖを出力する。この２．５Ｖは、電源オフ中においても電源スイッチ２６を操作すればプリンタ１０が立ち上がるように、電源オフ中における電源スイッチ２６の作動電圧として供給される。ここで、電源オフ中に電源スイッチ２６の作動電圧（２．５Ｖ）を出力する電源線として第１電源線５１が選択されているのは、浮遊電圧となる２．５Ｖが、電源オン時に出力される動力系電源電圧４２Ｖに比べ十分小さな値であり、モータドライバ１５，１６が電源スイッチ２６の作動電圧程度の小さな浮遊電圧では不具合が発生することもなく問題ないからである。また、モータドライバ１５，１６が内部に各種保護回路を備え、保護回路の機能により入力電圧が所定電圧を超えない限り駆動が開始されない回路構成になっていることも理由の一つに挙げられる。
【００３９】
ＲＴＣ４５は、２つの電源端子を備えている。その１つは第３電源線５３に接続された３，３Ｖの電源端子ＶDDであり、他の１つはバックアップ電源用の電源端子ＶBAKである。電源端子ＶBAKは、第２電源線５２からの電圧が入力されるように接続されており、プリンタ１０の電源オン状態で電圧５Ｖが入力される。電源端子ＶDDからの入力電圧３．３Ｖと電源端子ＶBAKからの入力電圧５Ｖは、共にＲＴＣ４５の作動電圧として用いられ、少なくとも入力電圧５ＶはＲＴＣ４５に内蔵された図示しないレギュレータにより所定の電圧に調圧されて使用される。また、ＲＴＣ４５のグランド端子ＶSSにはグランド線５４が接続されている。
【００４０】
ＲＴＣ４５は、前述のように内部に水晶発振子、カウンタ及び不揮発性メモリ（いずれも図示せず）を有している。カウンタは、時刻に相当するカウント値を計数する回路であり、水晶発振子から出力される所定周波数の出力パルスを直接、あるいは図示しない分周回路により計数用の所定周波数に分周して得られたパルス信号を入力し、そのパルス数を計数することで時刻に相当するカウント値を格納する。カウンタは、エラー発生時など予め決められた特定の時期を除きリセットされることなく、クリーニングの実施の有無にかかわらず数値を加算し続ける。ＲＴＣ４５はＣＰＵ４０と接続された複数本の配線を通じてＣＰＵ４０から書込信号を入力すると、カウンタのカウント値を内部の不揮発メモリに書き込み、読出信号を入力すると不揮発性メモリに記憶された値又はカウンタのカウント値をＣＰＵ４０に対して出力する。不揮発性メモリには前回のクリーニングの実施時刻に相当する計数値が記憶される。また、カウンタは、その読出指示を受け付けた際の現在時刻に相当する計数値を出力する。
【００４１】
ＣＰＵ４０は、前回のクリーニングの実施時刻に相当する値と、現在時刻に相当する値を読み込むと、両者の差を求め、前回のクリーニング実施時刻からの経過時間を算出する。この経過時間の算出は、プリンタ１０の電源投入時には必ず実施される。ＣＰＵ４０は、不揮発性メモリ４３から読み出したクリーニングテーブルを参照して経過時間に対応するクリーニング条件を求め、求めたクリーニング条件に従った強さのクリーニングを実施する。経過時間が長いほど強力なクリーニングが実施され、吸引力・吸引時間が長くなるので、記録ヘッド２３からのインク吸引量もその強さに応じて多くなる。
【００４２】
バックアップ回路４６は、バックアップ電源であるキャパシタＣ１と充電回路６０とを備える。キャパシタＣ１は電源オン中において第２電源線５２から供給される５Ｖの電圧により充電される。
【００４３】
充電回路６０は、２個のダイオードＤ１，Ｄ２、３個の抵抗Ｒ１，Ｒ２，Ｒ３、及び１個のツェナダイオードＺＤを備える。本実施形態においては、ダイオードＤ１（第１の逆電流防止素子）と、ダイオードＤ２（第２の逆電流防止素子）がそれぞれ逆電流防止素子に相当する。
【００４４】
以下、充電回路６０の回路構成を説明する。
第１電源線５１とグランド線５４との間には、抵抗Ｒ１とツェナダイオードＺＤがこの順で直列に接続されている。抵抗Ｒ１はツェナダイオードＺＤの電流制限抵抗として機能する。ツェナダイオードＺＤのツェナ電圧は約５Ｖであり、電源オン状態では抵抗Ｒ１とツェナダイオードＺＤの間の接続点Ａに約５Ｖの定電圧が発生する。また、電源オフ状態では第１電源線５１に２．５Ｖの電圧が出力され、この出力電圧２．５Ｖがツェナ電圧の約５Ｖより低いことから、接続点Ａの電位は２．５Ｖとなる。
【００４５】
第２電源線５２とグランド線５４の間には、２個のダイオードＤ１，Ｄ２と抵抗Ｒ１とキャパシタＣ１とがこの順で直列に接続されている。このキャパシタＣ１がバックアップ電源となる。キャパシタＣ１は、本例では電気二重層コンデンサからなる。２個のダイオードＤ１，Ｄ２は、第２電源線５２からキャパシタＣ１に至る向きが順方向となる向きで設けられている。抵抗Ｒ２は、ダイオードＤ１，Ｄ２の電流制限抵抗として機能する。ＲＴＣ４５の電源端子ＶBAKは、ダイオードＤ２と抵抗Ｒ１との間に接続されており、電源オン中は電源端子ＶBAKに５Ｖの電圧が入力される。
【００４６】
抵抗Ｒ１とツェナダイオードＺＤの間の接続点Ａと、２個のダイオードＤ１，Ｄ２の間の接続点Ｂとは、抵抗Ｒ３を介して接続されている。電源オン状態では接続点Ａが約５Ｖ、接続点Ｂが約５Ｖと略等電位となり、しかも抵抗Ｒ３は約１ｋΩと高抵抗値となっている。このため、接続点Ａ，Ｂ間にはほとんど電流が流ない。本実施形態では、詳しくはツェナダイオードＺＤのツェナ電圧が５Ｖより僅かに高い電圧値（例えば５．１Ｖ）に設定されており、電源オン中において接続点Ａの電位が５．１Ｖ、接続点Ｂの電位が５Ｖになることから、微小電流が接続点Ａから接続点Ｂへ向かって流れる設定となっている。これにより、電源オン状態のときに第２電源線５２からダイオードＤ１、抵抗Ｒ３及びツェナダイオードＺＤを介してグランド側へ電流が漏れることを防止している。このため、第２電源線５２からの電流はＲＴＣ４５の駆動及びキャパシタＣ１の充電に有効に活用される。
【００４７】
また、第３電源線５３とグランド線５４との間には、電圧安定化用のコンデンサＣ２が設けられ、ＲＴＣ４５の電源端子ＶDDは、第３電源線５３とコンデンサＣ２の間に接続されている。このため、電源オン状態において電源端子ＶDDには３．３Ｖの電圧が入力される。
【００４８】
また、キャパシタＣ１の容量との関係において、抵抗Ｒ１〜Ｒ３の抵抗値などから決まる充電回路６０の回路定数は、プリンタ電源遮断中において第１電源線５１の出力電圧がキャパシタＣ１への充電よりもＲＴＣ４５の駆動電圧として優先的に使用されうる回路定数に設定されている。この充電回路６０の回路定数の設定によって優先手段は構成される。なお、第１電源線５１からキャパシタＣ１へ至る配線が第１配線６１、第２電源線５２からキャパシタＣ１へ至る配線が第２配線６２となっており、第１配線６１と第２配線６２はキャパシタＣ１へ至る手前の接続点Ｂで一つに接続され、キャパシタＣ１側から見て接続点Ｂで２本に分岐している。第１配線６１は、電源オフ中に第１電源線５１に出力される所定電圧（２．５Ｖ）に基づく電圧が接続点Ｂに印加されるようにしてＲＴＣ４５への電圧供給を可能とするための配線である。第２配線６２は、電源オン中に第２電源線５２に出力される電圧５Ｖ（充電電圧）に基づき第２電源線５２から充電電流をキャパシタＣ１へ流すための配線である。
【００４９】
以下、このバックアップ回路の作用について図２に従って説明する。
プリンタ電源オン中においては、第３電源線５３からの３．３Ｖが電源端子ＶDDに供給されるとともに、第２電源線５２からの５Ｖがバックアップ用の電源端子ＶBAKに供給される。この結果、ＲＴＣ４５は各電源端子ＶDD，ＶBAKから供給される駆動電圧により駆動する。こうしてプリンタ電源オン中はＲＴＣ４５内のカウンタが時刻に相当するカウント値を計数する。また、ＲＴＣ４５内の不揮発性メモリには前回のクリーニング実施時刻に相当する値が所定記憶領域に記憶されている。
【００５０】
このとき第１電源線５１は４２Ｖ、第２電源線５２は５Ｖ、第３電源線５３は３．３Ｖの電位となる。このため、バックアップ回路４６内において、接続点Ａの電位はツェナダイオードＺＤにより定電圧５．１Ｖとなる。また、接続点Ｂの電位は第２電源線５２の電位に等しく５Ｖになる。この結果、接続点Ａ，Ｂ間に生じた僅かな電位差（０．１Ｖ程度）と、その電位差の割りに比較的抵抗値の大きい抵抗Ｒ３（１ｋΩ）の存在により、接続点Ａから接続点Ｂへ微小電流が流れる。つまり、接続点Ａ，Ｂ間には電流はほとんど流れず、これは、接続点Ｂの電位変動を与えにくくする。仮に接続点Ｂの方が接続点Ａより電位が高いとすると、抵抗Ｒ３を経由して接続点Ｂから接続点Ａへ向かって微小電流が流れることになり、その微小電流はツェナダイオードＺＤを経由してグランドへ流れることになる。しかし、本実施形態では、接続点Ａから接続点Ｂへ向かって微小電流が流れるので、第２電源線５２からの電流をキャパシタＣ１の充電に有効に活用できる。
【００５１】
第２電源線５２からキャパシタＣ１へ電流が流れることによりキャパシタＣ１は充電される。キャパシタＣ１へ流れる電流は、第２電源線５２の電位５ＶとキャパシタＣ１の正極電位との電位差（電圧）と、電流制限抵抗として機能する抵抗Ｒ２の抵抗値から決まり、常にダイオードＤ１，Ｄ２の定格電流以下に抑えられる。本実施形態では、例えばキャパシタＣ１が１５分充電されると、ＲＴＣ４５が強力クリーニングに達する経過時間（本例では１００時間）を計時できることが保証されている。例えばプリンタ電源投入時にＲＴＣ４５の駆動が止まっていると強制的に強力クリーニングが実施されるが、このとき１００時間計時以後に駆動停止していた場合は、そもそも強力クリーニングが適切なクリーニングなので問題はない。しかし、例えば強力クリーニングより低いクリーニングレベルに対応する経過時間（例えば５０時間）の時点でＲＴＣ４５が駆動停止していた場合は、強力クリーニングの実施は過剰クリーニングになり、インクが無駄に消費されることになる。しかし、本実施形態では、電源オフ中において、以下のようにＲＴＣ４５に電圧供給がなされるため、強力クリーニングに対応する経過時間の経過前にＲＴＣ４５が停止する頻度が極めて少なくなっている。
【００５２】
例えば印刷終了後、電源スイッチ２６が切られてプリンタ１０が電源遮断状態になると、電源装置１１から第１電源線５１に電圧２．５Ｖが出力される。接続点Ａは電位２．５Ｖとなり、この電位に基づき約２Ｖの電圧が電源端子ＶBAKに供給される。ＲＴＣ４５は、電源端子ＶBAKへの入力電圧が例えば１．８〜５．５Ｖの範囲であれば駆動できる構成となっており、この約２Ｖの入力電圧により電源オフ中においても作動する。このとき、充電回路６０に設定された回路定数によって、仮にキャパシタＣ１が放電状態にあってもキャパシタＣ１への充電はほとんどなされずＲＴＣ４５の電源端子ＶBAKに電圧供給される。よって、コンセント５０のプラグが抜かれない限り、プリンタ電源遮断中、ＲＴＣ４５は駆動し続けることになる。
【００５３】
ここで、仮にキャパシタＣ１への充電が優先される回路定数であったとすると、キャパシタＣ１の放電状態下でプリンタ１０の電源を遮断した場合、その電源遮断後しばらくはキャパシタＣ１への充電のために電源端子ＶBAKへの入力電圧が、ＲＴＣ４５に必要な駆動電圧を下回って、ＲＴＣ４５が正常に作動しえなくなる心配がある。この場合、ＲＴＣ４５の計時時刻は信頼性の低いものとなる。これに対して、本実施形態では、プリンタ電源遮断後直ちに電源端子ＶBAKに必要な駆動電圧（約２Ｖ）が供給され、ＲＴＣ４５への電圧供給が電源遮断前後で途切れることがないので、ＲＴＣ４５の計時時刻は信頼性の高いものとなる。
【００５４】
また、プリンタ電源遮断後においては、第１電源線５１は２．５Ｖ、第２電源線５２及び第３電源線５３は０Ｖの電位になる。このとき第１電源線５１と第２電源線５２の間に電位差が生じるが、ダイオードＤ１にとって逆バイアスとなるので、第１電源線５１から抵抗Ｒ１，Ｒ３を経由して第２電源線５２へ至る電流は流れない。このため、接続点Ｂの電位は約２Ｖに保たれる。
【００５５】
また、プリンタ電源遮断後、仮にコンセント５０が電源ソケットから抜かれた場合は、第１電源線５１の出力電圧は０Ｖになる。この場合、キャパシタＣ１に蓄電された電荷に基づく電圧がＲＴＣ４５の電源端子ＶBAKに供給される。プリンタ電源遮断前に例えばキャパシタＣ１が１５分充電されていれば、ＲＴＣ４５は少なくとも１００時間以上は駆動できる。プリンタ１０が電源投入から１５分未満で電源遮断された場合も、電源投入前にキャパシタＣ１に蓄電残量がある場合は、ＲＴＣ４５が電源遮断後に１００時間駆動できる場合はある。これらの場合、次回のプリンタ電源投入時に、経過時間に見合った適正なクリーニングが実施される。そして、キャパシタＣ１の蓄電量が１５分の充電に相当する値を下回る状態で電源遮断され、ＲＴＣ４５がプリンタ電源投入前に停止していた場合に限り、本来行われるべきクリーニングより強力なクリーニングが行われる。つまり、本実施形態では、コンセント５０が電源ソケットに差し込まれていれば、過剰のクリーニングが行われず、無駄なインク消費を回避できる。
【００５６】
但し、ＲＴＣ４５が１００時間の計時前に既に停止していても、プリンタ電源投入時にプリンタ１０がホスト装置（パーソナルコンピュータ）に接続されているときは、ホスト装置のタイマが計時している現在時刻をホスト装置から取得できるので、その取得した時刻に基づき前回のクリーニング実施時刻からの経過時間を算出する。この場合、正確な経過時間が分かるので、コンセント５０が電源ソケットから抜かれていても、その経過時間に見合った適切なクリーニングが実施される。
【００５７】
また、コンセント５０を電源ソケットから抜いて第１電源線５１の電位が０Ｖになると、ダイオードＤ２と抵抗Ｒ２間の接続点Ｃの電位が第１電源線５１の電位より高くなる。しかし、このときダイオードＤ２に印加される電圧は逆バイアスになるので、キャパシタＣ１から第１電源線５１へ電流が漏れることはない。
【００５８】
図３は本実施形態における効果を説明するための比較例のバックアップ回路の回路図である。同図に示す比較例の回路では、ダイオードＤ２の位置を変更し、接続点Ａ，Ｂ間の配線上にダイオードＤ１２を配置する回路構成となっている。この回路構成の場合、ダイオードＤ２が接続点Ｂから接続点Ａへ流れる電流を防止する逆流防止機能を持つので、抵抗Ｒ３が不要にはなる。
【００５９】
しかし、この回路構成の場合、キャパシタＣ１からダイオードＤ１１，Ｄ１２へ流れる経路が、接続点Ｂを経てダイオードＤ１１へ至る経路と、接続点Ｂを経てダイオードＤ１２へ至る経路との二つでき、それぞれの経路からダイオード１個分の漏れ電流が流れるので、本実施形態の回路構成に比べダイオードＤ１１，Ｄ１２を介する漏れ電流が２倍となる。これに対し、キャパシタＣ１からダイオードへ至る経路が、ダイオードＤ２へ至る経路の一つだけである本実施形態の回路構成によれば、ダイオードＤ１，Ｄ２を通って放電される電流がダイオード１個分の漏れ電流に抑えられる。このため、図２に示す本実施形態の回路構成によれば、図３に示す比較例の回路構成に比べ、ダイオードを介した漏れ電流を半減できる。そして、ＲＴＣ４５のような低電圧で駆動する電子回路（半導体集積回路）でその作動に消費される電流は、ダイオード１個分の漏れ電流にほぼ匹敵する値なので、ＲＴＣ４５の消費電流分も含めると、キャパシタＣ１の単位時間当たりの放電電流を比較例の回路構成に比べ１／３減らすことができる。よって、比較例の回路構成を採用する場合に比べ、キャパシタＣ１の同一蓄電量の比較下でＲＴＣ４５の連続駆動時間を約１．５倍に延長できる。
【００６０】
以上、詳述したように本実施形態によれば、以下の効果を奏する。
（１）動力系電源線である第１電源線５１に電源オフ中に出力される所定電圧（２．５Ｖ）をＲＴＣ４５の電源端子ＶBAKに供給する構成としたので、コンセント５０が電源ソケットに差し込まれている限りにおいて、プリンタ１０の電源オフ中においてＲＴＣ４５を継続的に駆動させることができる。バックアップ用の電源回路を新たに追加するのではなく、電源遮断中において電源スイッチ２６に作動電圧を供給するために電源装置１１から第１電源線５１に出力されている出力電圧を利用しているので、電源回路構成が複雑にならずに済む。
【００６１】
（２）第２電源線５２と第１電源線５１が共に０ＶになったときにキャパシタＣ１から放電された電流の分岐点となる接続点ＢよりもキャパシタＣ１側の位置にダイオードＤ２（逆電流防止素子）を配置した。この結果、キャパシタＣ１からダイオードＤ１，Ｄ２へ至る経路が一つとなり、キャパシタＣ１からダイオードＤ１，Ｄ２を経由しては、ダイオード１個分の漏れ電流に相当する電流しか放電されない。例えば比較例の回路構成のように接続点Ａ，Ｂ間にダイオードＤ１２を配置した場合、抵抗Ｒ３が不要になる。しかし、この回路構成の場合、キャパシタＣ１からダイオードへ流れる経路が、接続点Ｂを経てダイオードＤ１１へ至る経路と、接続点Ｂを経てダイオードＤ１２へ至る経路の二つでき、それぞれの経路からダイオード１個分の漏れ電流が流れるので、本実施形態の回路構成に比べダイオードを介する漏れ電流が２倍となる。これに対し、本実施形態の回路構成では、キャパシタＣ１からダイオードを通って放電される漏れ電流がダイオード１個分に抑えられるので、前記比較例に比べ漏れ電流を半減できる。そして、ＲＴＣ４５の作動に消費される電流は、ダイオード１個分の漏れ電流に匹敵する程度なので、キャパシタＣ１の放電電流を比較例の回路構成に比べ１／３減らすことができる。よって、キャパシタＣ１の同一蓄電量の比較下でＲＴＣ４５の連続駆動時間を大幅（約１．５倍）に延長できる。
【００６２】
（３）ダイオードＤ２を接続点ＢとキャパシタＣ１の間に配置した結果、接続点Ｂから接続点Ａへ流れる電流を抑制又は阻止する機能を持つ素子部品が必要になるが、その素子部品を抵抗Ｒ３とした。このため、抵抗より高価なダイオードを配置しなくて済み、回路コストを低く抑えることができる。
【００６３】
（４）ツェナダイオードＺＤのツェナ電圧を、接続点Ａ，Ｂが略等電位になるように設定した。このため、プリンタ電源オン状態において接続点Ａ，Ｂ間にほとんど電流が流れないので、接続点Ｂの電圧が安定し、ＲＴＣ４５に安定な電圧供給をすることができる。また、接続点Ａの電位を接続点Ｂの電位より若干高く設定し、接続点Ａから接続点Ｂへ向かって微小電流が流れる構成としたので、電圧変動などがあっても第２電源線５２から接続点Ａ，Ｂ間の経路を経由してグランドへ電流が流れることを確実に抑制できる。この結果、第２電源線５２からの電流をキャパシタＣ１の充電やＲＴＣ４５の作動に有効に活用できる。
【００６４】
（５）プリンタ電源遮断中に第１電源線５１の出力電圧がＲＴＣ４５の作動電圧として優先的に使用される回路定数を設定した。例えばキャパシタＣ１への充電を優先させる回路定数を設定した場合、キャパシタＣ１が完全放電に近い状態で電源スイッチ２６が切られたときには、キャパシタＣ１の充電が優先されてＲＴＣ４５への供給電圧が必要な駆動電圧を下回り、ＲＴＣ４５が正常に作動しないことも起こり得る。しかし、本実施形態では、上記の回路定数の設定により、キャパシタＣ１が完全放電に近い状態でも、コンセント５０が電源ソケットに差し込まれていれば、電源スイッチ２６を切った後直ちに第１電源線５１の出力電圧をＲＴＣ４５に供給できるので、ＲＴＣ４５は電源遮断前後で途切れることなく継続的に作動する。従って、ＲＴＣ４５の停止に起因して強力クリーニングが実施されたことによる無駄なインク消費をさらに回避しやすく、ひいてはカートリッジ１個当たりのインク寿命を一層延ばすことができる。
【００６５】
尚、発明の実施の形態は、上記実施形態に限定されるものではなく、以下のように変更してもよい。
（変形例１）上記実施形態では、接続点Ｂから接続点Ａへ流れる電流を抑制又は阻止する機能を持つ素子部品を抵抗Ｒ３としたが、これに限定されない。例えば図４に示すように、抵抗に替えダイオードＤ３を採用することができる。ダイオードＤ３を採用しても、２個のダイオードＤ１，Ｄ２の直列配置構造により漏れ電流はダイオード一個分に抑制できるので、キャパシタＣ１の同一蓄電量比較下におけるＲＴＣ４５の連続駆動時間を延長できる効果は前記実施形態と同様に得られる。なお、ダイオードＤ３は抵抗Ｒ３と同種の機能をもつ素子部品と見ることができるが、図３の回路構成との比較の下では、ダイオードＤ１２と同じ機能をもつ素子部品と見ることもできる。後者の場合、図４におけるダイオードＤ２は、前記実施形態の図２におけるダイオードＤ２とは機能が異なることになり、接続点ＢのキャパシタＣ１側に位置してダイオード経由の漏れ電流を少なく抑える機能をもつ逆電流防止素子（第３の逆電流防止素子）として機能する。
【００６６】
（変形例２）前記実施形態では、プリンタ電源オフ中に動力系電源線である第１電源線５１に出力される電圧を利用してＲＴＣ４５を作動させる構成としたが、バックアップ専用電源線を設け、プリンタ電源オフ中においてバックアップ専用電源線からＲＴＣへ給電する構成を採用できる。また、既存の電源装置からバックアップ専用電源線を引き出す構成ではなく、新たにバックアップ専用の電源装置を追加する構成でも構わない。これらの構成によっても、バックアップ電源の正極側において接続点Ｂより手前側の位置にダイオードを設け、ダイオードの漏れ電流の経路を一つにすることで、バックアップ電源からの漏れ電流をダイオード１個分に抑制できる。よって、バックアップ電源で作動させたときのＲＴＣの連続駆動時間を長く確保することができる。
【００６７】
（変形例３）前記実施形態では、プリンタ電源オフ中に第１電源線５１に出力される電圧をＲＴＣ４５の作動電圧として使用可能に回路定数を設定したが、例えばキャパシタＣ１への充電を優先させる回路定数を設定することもできる。この場合、キャパシタＣ１が完全放電に近い状態で電源スイッチ２６が切られたときには、キャパシタＣ１の充電が優先されてキャパシタからＲＴＣ４５への供給電圧が必要な駆動電圧を下回りＲＴＣ４５が正常に作動しないことも起こり得るが、そのような頻度は少なく大抵はプリンタ電源オフ中においても充電中のキャパシタからの給電によってＲＴＣ４５を作動させることができる。
【００６８】
（変形例４）前記実施形態では、充電回路６０の回路定数によって電源オフ時に出力される所定電圧が充電よりもＲＴＣの作動電圧に優先的に用いられる設定としたが、優先手段は回路定数の設定による手段に限定されない。例えば電源オフ中は、所定電圧が充電よりもＲＴＣ等の電子回路の作動電圧に優先的に用いられるように選択する選択回路とすることもできる。
【００６９】
（変形例５）電子回路は、ＲＴＣ４５のようなタイマ回路に限定されず、半導体集積回路からなる他の電子回路でもよく、他の電子回路のバックアップ電源用の充電回路（充電装置）に本発明を適用することもできる。電子回路は、例えばＲＡＭなどの揮発性のメモリでもよい。この場合、バックアップ電源によりメモリをより長きに渡り作動させてデータを保持できる。
【００７０】
（変形例６）前記実施形態では、電子機器を液体噴射装置としてのインクジェット式のプリンタ１０に具体化したが、この限りではなく、ドットインパクト式プリンタ、感熱印字式プリンタ、レーザープリンタに適用できる。さらに複合機にも適用できる。また、プリンタに限らず、スキャナー、プロジェクタ、デジタルカメラなど、広く他の電子機器に本発明を適用することができる。
【００７１】
以下、前記実施形態及び変形例から把握される技術的思想を記載する。
（１）電子機器に備えられた電子回路を電源オフ中に作動させるためのバックアップ電源を充電する充電回路であって、前記電子機器が備える電源装置は、少なくとも電源オフ中に所定電圧を出力する第１電源線と、電源オン中に充電電圧を出力する第２電源線とを有する構成となっており、前記第１電源線の出力電圧が前記バックアップ電源に印加されるようにする第１配線と、前記第２電源線から充電のための電流を前記バックアップ電源に流す第２配線とを備え、該第１配線と第２配線は前記バックアップ電源に至る手前で分岐するように接続されており、電子機器の電源オフ中において前記第１電源線に前記所定電圧が出力されているときに前記第１配線と前記第２配線との接続点を経由して前記第２電源線へ電流が流れることを防止する第１の逆電流防止素子（Ｄ１）と、電子機器の電源オフ中において前記第１電源線に前記所定電圧の出力がなくなったときに前記バックアップ電源から前記第１配線を経由して前記第１電源線へ電流が流れることを防止する第２の逆電流防止素子（Ｄ２）とを備え、前記接続点と前記バックアップ電源との間の配線上には、前記第２の逆電流防止素子、又は前記二つの逆電流防止素子以外の第３の逆電流防止素子が設けられていることを特徴とする。
【００７２】
（２）請求項３に記載の電子機器における充電回路おいて、前記優先手段は、前記接続点の電圧が、前記バックアップ電源の充電よりも前記電子回路の作動電圧として用いられることを優先させる回路定数を設定している。
【００７３】
この構成によれば、回路定数の設定だけで済むので、優先手段のために余分に素子が必要になることがない。
（３）請求項３において、前記第２電源線と前記バックアップ電源との間の配線上には、前記第１配線と第２配線の接続点を挟む両側に、それぞれ少なくとも一つの逆電流防止素子が、前記第２電源線から前記バックアップ電源に至る向きが順方向となる向きで設けられていることを特徴とする。この構成によれば、逆電流防止素子の漏れ電流によるバックアップ電源の放電を低減でき、バックアップ電源の放電速度を遅らせることができる。よって、バックアップ電源の同一蓄電量下における寿命を延ばすことができる。
【００７４】
（４）請求項１〜請求項８、前記技術的思想（１）〜（３）のいずれか一項において、前記電子回路はタイマ回路である。これによれば、電源遮断中においても、タイマ回路をより長きに渡り作動させることができる。
【００７５】
（５）前記技術的思想（４）に記載の電子機器における充電回路において、
前記電子機器は、液体を噴射する液体噴射ヘッドと、該液体噴射ヘッドのクリーニングを行うメンテナンス装置とを備えた液体噴射装置であり、前記タイマ回路は、前回のクリーニングからの経過時間を知ることができる時間を計時するものであって、液体噴射装置の電源が投入されたときに前記経過時間に応じた強さのクリーニングを実施することを特徴とする。これによれば、電源が遮断された液体噴射装置が次回電源投入されるまでの間、タイマ回路を長きに渡って作動させることができる。例えば、電源投入時にタイマ回路が停止していたときには強制的に強力クリーニングを実施する構成であれば、過剰の強力クリーニングが実施されることによるインク等の液体の無駄な消費を低減できる。
【図面の簡単な説明】
【００７６】
【図１】一実施形態におけるプリンタの電気的構成を示すブロック図。
【図２】ＣＰＵ及びＲＴＣと共に示したバックアップ回路の電気回路図。
【図３】比較例のバックアップ回路の電気回路図。
【図４】変形例のバックアップ回路の電気回路図。
【符号の説明】
【００７７】
１０…電子機器としてのプリンタ、１１…充電装置を構成する電源装置、１２…一次電源回路、１３…二次電源回路、１４…コントローラ、１５，１６…駆動部としてのモータドライバ、１７…ヘッドドライバ、１８…駆動部としての表示駆動回路、２１…キャリッジモータ、２２…紙送りモータ、２３…記録ヘッド、２４…操作パネル、２６…電源スイッチ、２９…メンテナンス装置、４０…ＣＰＵ、４３…不揮発性メモリ、４５…電子回路（タイマ回路）としてのＲＴＣ、４６…バックアップ回路、５０…コンセント、５１…第１電源線、５２…第２電源線、５３…第３電源線、５４…グランド線、６０…充電装置を構成する充電回路、６１…第１配線、６２…第２配線、Ｃ１…バックアップ電源としてのキャパシタ、Ｄ１…逆電流防止素子（第１の逆電流防止素子）としてのダイオード、Ｄ２…逆電流防止素子（第２の逆電流防止素子）としてのダイオード、ＺＤ…定電圧素子としてのツェナダイオード（定電圧ダイオード）、Ｒ１，Ｒ２…抵抗、Ｒ３…抵抗素子としての抵抗、Ｄ３…ダイオード、Ａ…接続点、Ｂ…接続点。
【図１】
2007209086.tif 000003
【図２】
2007209086.tif 000004
【図３】
2007209086.tif 000005
【図４】
2007209086.tif 000006